(57)【要約】【課題】光利用効率を損なうことなく、装置の小型化を実現することができる投写型表示装置を提供する。【解決手段】投写型表示装置１は、ライトバルブ１２１、投写光学系１２４、複数の励起光源１１〜７３、光反射素子８１〜８７及び蛍光体素子１００Ｇを備える。光反射素子８１〜８７の光反射面は、励起光源１１〜７３から出射された複数の光束を横方向に且つ投写光学系１２４の光軸ＯＡから離れる方向に反射する。光反射素子８１〜８７の光反射面の励起光源１１〜７３からの高さは、投写光学系１２４の光軸ＯＡに近づくほど小さくなる。ライトバルブ１２１は、光反射素子８１〜８７の光軸ＯＡ側の端部よりも高い位置に配置され、且つ、前記光反射素子と横方向において重複する位置に配置されている。【選択図】図１
2014062985.tif 000002
【特許請求の範囲】
【請求項１】
入射光束を空間的に変調して変調光を生成するライトバルブと、
前記変調光で表される光学像を外部の被投影面に拡大投写する投写光学系と、
前記投写光学系の光軸方向と交差する横方向に沿って配列された複数の光源からなる励起光源群と、
前記複数の光源の光出射端と対向する単一または複数の光反射面を有する光反射素子と、
前記光反射面で反射された光束を励起光として吸収し発光する蛍光体素子と、
前記蛍光体素子から出射された蛍光光を前記ライトバルブに導く導光光学系と
を備え、
前記光反射素子の当該光反射面は、前記複数の光源から出射された複数の光束を、前記横方向に且つ前記投写光学系の光軸から離れる方向に反射し、
前記励起光源群からの前記光反射面の高さは、前記投写光学系の光軸に近づくほど小さくなり、
前記ライトバルブは、前記光反射素子のうち前記投写光学系の光軸側端部よりも高い位置に配置され、且つ、前記光反射素子と前記横方向において重複する位置に配置されている
ことを特徴とする投写型表示装置。
【請求項２】
請求項１に記載の投写型表示装置であって、
前記ライトバルブは、前記変調光を出射する光出射面を有し、
前記投写光学系の光軸は、前記光出射面の中心軸から高さ方向にシフトしており、
前記励起光源群は、前記高さ方向へ光を出射する
ことを特徴とする投写型表示装置。
【請求項３】
請求項１または２に記載の投写型表示装置であって、前記投写光学系は、前記光反射素子の当該端部よりも高い位置に配置され、且つ、当該端部と前記横方向において重複する位置に配置されていることを特徴とする投写型表示装置。
【請求項４】
請求項３に記載の投写型表示装置であって、前記投写光学系は、前記光反射素子の当該端部と当該投写光学系の光軸方向において重複する位置に配置されていることを特徴とする投写型表示装置。
【請求項５】
請求項１から３のうちのいずれか１項に記載の投写型表示装置であって、前記ライトバルブは、前記光反射素子の当該端部と前記投写光学系の光軸方向において重複する位置に配置されていることを特徴とする投写型表示装置。
【請求項６】
請求項１から４のうちのいずれか１項に記載の投写型表示装置であって、前記複数の光源は、面状に且つ規則的に配列されていることを特徴とする投写型表示装置。
【請求項７】
請求項１から６のうちのいずれか１項に記載の投写型表示装置であって、
前記光反射素子は、前記複数の光反射面をそれぞれ有する複数の光反射鏡を含み、
前記複数の光反射鏡は、階段状に配置されている
ことを特徴とする投写型表示装置。
【請求項８】
請求項１から６のうちのいずれか１項に記載の投写型表示装置であって、前記光反射素子は、前記単一の光反射面を有することを特徴とする投写型表示装置。
【請求項９】
請求項８に記載の投写型表示装置であって、前記複数の光源の光軸は、当該複数の光源から出射された光束が略４５°の入射角で前記光反射面に入射するように設定されることを特徴とする投写型表示装置。
【請求項１０】
請求項８に記載の投写型表示装置であって、前記複数の光源の光軸は、当該複数の光源から出射された光束が４５°を超える入射角で前記光反射面に入射するように設定されることを特徴とする投写型表示装置。
【請求項１１】
請求項１から１０のうちのいずれか１項に記載の投写型表示装置であって、
前記複数の光源から出射された光束をそれぞれ平行化する平行化レンズをさらに備え、
前記光反射素子の当該光反射面は、前記平行化レンズから入射された平行化光束を反射する
ことを特徴とする投写型表示装置。
【請求項１２】
請求項１から１１のうちのいずれか１項に記載の投写型表示装置であって、
前記導光光学系は、
前記蛍光体素子から出射された蛍光光の強度分布を均一化する光強度均一化素子と、
前記光強度均一化素子から出射された光束を前記ライトバルブに導くリレー光学系と
を含むことを特徴とする投写型表示装置。
【請求項１３】
請求項１から１２のうちのいずれか１項に記載の投写型表示装置であって、前記複数の光源の各々は、第１の波長域で発光する第１の半導体発光素子からなることを特徴とする投写型表示装置。
【請求項１４】
請求項１３に記載の投写型表示装置であって、
前記蛍光体素子の発光色とは異なる色の第２の波長域で発光する第２の半導体発光素子と、
前記蛍光体素子の発光色及び前記第２の半導体発光素子の発光色の双方と異なる色の第３の波長域で発光する第３の半導体発光素子と
をさらに備え、
前記導光光学系は、前記第２の半導体発光素子及び前記第３の半導体発光素子から出射された光束を前記ライトバルブへ導く
ことを特徴とする投写型表示装置。
【発明の詳細な説明】
【技術分野】
【０００１】
本発明は、複数の光源を備えた投写型表示装置に関する。
【背景技術】
【０００２】
投写型表示装置は、プロジェクタとも呼ばれ、入射光を空間的に変調するライトバルブと、光源系と、この光源系から出射された光をライトバルブに導く照明光学系と、ライトバルブで透過または反射された変調光をスクリーン上に拡大投写する投写光学系とを備えている。従来は、投写型表示装置用の高輝度光源として、高圧水銀ランプもしくはキセノンランプなどのランプ光源を用いるのが主流であった。しかしながら、ランプ光源には、寿命が短く、保守管理の頻度が高いため、ランニングコストが高いという欠点がある。
【０００３】
そこで、近年、発光ダイオード（ＬＥＤ：Ｌｉｇｈｔ  Ｅｍｉｔｔｉｎｇ  Ｄｉｏｄｅ）やレーザダイオード（ＬＤ：Ｌａｓｅｒ  Ｄｉｏｄｅ）といった半導体発光素子を光源として使用する投写型表示装置が開発されている。ここで、ＬＥＤやＬＤなどの半導体発光素子の個々の輝度は、ランプ光源の輝度と比べると低いため、複数の半導体発光素子を使用して光源系の高輝度化を図ることが必要である。このように複数の半導体発光素子を光源として使用する投写型表示装置は、たとえば、特許文献１（特開２０１１−１３３１７号公報）及び特許文献２（特開２０１１−９５３８８号公報）に開示されている。
【０００４】
特許文献１には、平面状に配列された複数の光源を含む光源ユニットを備えたプロジェクタが開示されている。この光源ユニットは、行及び列をなすように平面上に配列された複数の光源からなる光源群と、これら複数の光源から出射された光線束を、列方向における断面面積が縮小された光線束に変換する第１反射ミラー群と、第１反射ミラー群で反射された光線束を、行方向における断面面積が縮小された光線束に変換する第２反射ミラー群とを含む。第１反射ミラー群と第２反射ミラー群とを使用することで、列方向及び行方向に断面面積が小さく高輝度な光線束を生成することができるので、光の利用効率が高い。
【０００５】
一方、特許文献２にも、複数の光源を含む光源ユニットを備えたプロジェクタが開示されている。特許文献２に開示されている光源ユニットは、マトリクス状に配列された複数の青色レーザダイオード（励起光源）を含む励起光照射装置と、この励起光照射装置の出射光の方向を変換する反射ミラー群と、この反射ミラー群で反射された光を励起光として緑色波長帯域の光を射出する蛍光体ホイールと、青色光源装置と、赤色光源装置とを有する。ここで、反射ミラー群は、階段状に配列された複数の反射ミラーからなり、これら反射ミラーは、入射光の断面積を一方向に縮小するように配列されている。
【先行技術文献】
【特許文献】
【０００６】
【特許文献１】特開２０１１−１３３１７号公報（図１及び段落００２７〜００３７など）
【特許文献２】特開２０１１−９５３８８号公報（図３及び段落００４１〜００５２など）
【発明の概要】
【発明が解決しようとする課題】
【０００７】
近年、投写型表示装置の市場においては、光源系の高輝度化だけでなく装置（筐体）の小型化も強く求められている。特許文献１，２に開示されているプロジェクタでは、ＤＭＤから射出された変調光をスクリーンに投影する投影側光学系（投写光学系）は、光源ユニットと横方向に隣接する位置に配置されているため、装置の小型化に限界があった。
【０００８】
上記に鑑みて本発明の目的は、光利用効率を損なうことなく、装置の小型化を実現することができる投写型表示装置を提供することである。
【課題を解決するための手段】
【０００９】
本発明の一態様による投写型表示装置は、入射光束を空間的に変調して変調光を生成するライトバルブと、前記変調光で表される光学像を外部の被投影面に拡大投写する投写光学系と、前記投写光学系の光軸方向と交差する横方向に沿って配列された複数の光源からなる励起光源群と、前記複数の光源の光出射端と対向する単一または複数の光反射面を有する光反射素子と、前記光反射面で反射された光束を励起光として吸収し発光する蛍光体素子と、前記蛍光体素子から出射された蛍光光を前記ライトバルブに導く導光光学系とを備え、前記光反射素子の当該光反射面は、前記複数の光源から出射された複数の光束を、前記横方向に且つ前記投写光学系の光軸から離れる方向に反射し、前記励起光源群からの前記光反射面の高さは、前記投写光学系の光軸に近づくほど小さくなり、前記ライトバルブは、前記光反射素子のうち前記投写光学系の光軸側端部よりも高い位置に配置され、且つ、前記光反射素子と前記横方向において重複する位置に配置されていることを特徴とする。
【発明の効果】
【００１０】
本発明によれば、光反射素子の光反射面と励起光源群との間の高さは、投写光学系の光軸に近づくほど小さくなるので、光反射素子の端部の直上に、光反射素子と干渉しない光路を確保することができる。よって、光反射素子と接触させずにこの光反射素子の当該端部と横方向において重複する位置にライトバルブを配置することができる。これにより、投写型表示装置の横幅をコンパクトにすることができる。したがって、光利用効率を損なうことなく、投写型表示装置を小型化することができる。
【図面の簡単な説明】
【００１１】
【図１】本発明に係る実施の形態１の投写型表示装置の主要構成を概略的に示す図である。
【図２】実施の形態１の励起光源ユニットの概略構成を示す図である。
【図３】実施の形態１の光強度均一化素子の一例を示す斜視図である。
【図４】正面側（Ｘ軸負方向側）から視たときの実施の形態１の投写型表示装置の構成の一部を概略的に示す図である。
【図５】本発明に係る実施の形態２の投写型表示装置の主要構成を概略的に示す図である。
【図６】実施の形態２の折り曲げミラー及び凹面ミラーの配置を概略的に示す図である。
【図７】実施の形態２の変形例である投写型表示装置の主要構成を概略的に示す図である。
【図８】本発明に係る実施の形態３の投写型表示装置の主要構成を概略的に示す図である。
【図９】正面側（Ｘ軸負方向側）から視たときの実施の形態３の励起光源ユニット及び集光レンズ群の概略構成を示す図である。
【図１０】正面側（Ｘ軸負方向側）から視たときの実施の形態３の投写型表示装置の構成の一部を概略的に示す図である。
【図１１】本発明に係る実施の形態４の投写型表示装置の主要構成を概略的に示す図である。
【図１２】底面側（Ｙ軸負方向側）から視たときの実施の形態４の励起光源ユニットの概略構成を示す図である。
【図１３】正面側（Ｘ軸負方向側）から視たときの実施の形態４の励起光源ユニット及び集光レンズ群の概略構成を示す図である。
【図１４】正面側（Ｘ軸負方向側）から視たときの実施の形態４の投写型表示装置の構成の一部を概略的に示す図である。
【図１５】本発明に係る実施の形態５の投写型表示装置の主要構成を概略的に示す図である。
【図１６】正面側（Ｘ軸負方向側）から視たときの実施の形態５の投写型表示装置の構成の一部を概略的に示す図である。
【発明を実施するための形態】
【００１２】
以下、本発明に係る種々の実施の形態について図面を参照しつつ説明する。全ての図面において、同様な構成及び機能を有する構成要素には同一符号を付し、その詳細な説明を重複しないように適宜省略する。
【００１３】
実施の形態１．
図１は、本発明に係る実施の形態１の投写型表示装置１の主要構成を概略的に示す図である。図１に示されるように、投写型表示装置１は、外枠を構成する筐体２を有し、この筐体２の内部に、制御部３、励起光源ユニット１００Ｅ、蛍光体素子１００Ｇ、赤色光源１００Ｒ、青色光源１００Ｂ、色分離フィルタ９４，１１１、光強度均一化素子１１３、リレーレンズ群１１５、折り曲げミラー１２０、ライトバルブ１２１及び投写光学系１２４を備えている。
【００１４】
図１中のＸ軸方向，Ｙ軸方向及びＺ軸方向は、互いに直交する。ここで、Ｘ軸方向は、投写光学系１２４の光軸ＯＡと平行であり、Ｙ軸方向は、投写型表示装置１の高さ方向と平行であり、Ｚ軸方向は、投写型表示装置１の横幅方向と平行である。
【００１５】
ライトバルブ（ｌｉｇｈｔ  ｖａｌｖｅ）１２１は、集光レンズ１２２から入射した光束の空間的な変調、すなわち、入射光束の特性（たとえば、位相、偏光状態、強度または伝播方向）の２次元的または３次元的な可変制御を行う反射型の空間光変調器である。制御部３は、外部信号源（図示せず）から供給された画像信号ＶＳに基づいて変調制御信号ＭＣを生成し、この変調制御信号ＭＣをライトバルブ１２１に供給する。ライトバルブ１２１は、変調制御信号ＭＣに応じて入射光束を空間的に変調することにより、光学像を表す変調光を生成し出力することができる。本実施の形態では、ライトバルブ１２１として、デジタル・マイクロミラー・デバイス（ＤＭＤ：Ｄｉｇｉｔａｌ  Ｍｉｃｒｏｍｉｒｒｏｒ  Ｄｅｖｉｃｅ；登録商標）が使用されるが、これに限定されるものではない。なお、ＤＭＤに代えて、たとえば、反射型液晶素子を使用することも可能である。
【００１６】
投写光学系１２４は、ライトバルブ１２１から出射された変調光を屈折させて投写光（画像光）を前面１２４ｆから出射する。投写光学系１２４は、当該変調光で表される光学像を外部スクリーンの被投射面１５０に拡大投写することができる。
【００１７】
励起光源ユニット１００Ｅは、面状に且つ規則的に配列された複数の励起光源１１〜１３，２１〜２３，３１〜３３，４１〜４３，５１〜５３，６１〜６３，７１〜７３（以下「励起光源群」とも呼ぶ。）と、これら励起光源１１〜１３，２１〜２３，３１〜３３，４１〜４３，５１〜５３，６１〜６３，７１〜７３からＹ軸正方向に放射された複数本の光束を平行化する平行化レンズ１５〜１７，２５〜２７，３５〜３７，４５〜４７，５５〜５７，６５〜６７，７５〜７７（以下「平行化レンズ群」とも呼ぶ。）とを有している。励起光源１１〜１３，２１〜２３，３１〜３３，４１〜４３，５１〜５３，６１〜６３，７１〜７３としては、たとえば、青色波長域（発振波長：約４５０ｎｍ）のレーザ光を出力する複数個の青色レーザダイオード（青色ＬＤ：Ｂｌｕｅ  Ｌａｓｅｒ  Ｄｉｏｄｅ）を使用すればよい。
【００１８】
図２は、投写型表示装置１の正面側（Ｘ軸負方向側）から視たときの励起光源ユニット１００Ｅの概略構成を示す図である。図１及び図２に示されるように、励起光源１１〜１３，２１〜２３，３１〜３３，４１〜４３，５１〜５３，６１〜６３，７１〜７３は、Ｘ−Ｚ平面において３行７列でマトリクス状に配列されている。平行化レンズ群は、平行化光束をＹ軸正方向に出射する。励起光源ユニット１００Ｅは、図２に示されるように、平行化光束が入射する板状の光反射鏡８１〜８７からなる光反射素子８０を有している。光反射鏡８１〜８７は、励起光源群の光出射端と対向する光反射面をそれぞれ有する。これら光反射鏡８１〜８７は、光反射面に約４５°の入射角で入射する光束を横方向（Ｚ軸負方向）に反射し、集光レンズ群９０に向けて出射する。よって、光反射鏡８１〜８７は、光束の光路を約９０°折り曲げている。なお、光反射鏡８１〜８７の光反射面は、青色光を効率良く反射するために銀のコーティング層で形成されることが好ましい。
【００１９】
なお、図２に示されるように、光反射素子８０への光の入射角は約４５°であり、光反射素子８０で反射された光束は、集光レンズ群９０の光軸と略平行な方向に進行するが、これに限定されるものではない。たとえば、光反射鏡８１〜８７への光の入射角を励起光源群から離れているほど小さく、且つ、励起光源群に近いほど大きくすることで、光反射素子８０への入射光束群を集光レンズ群９０の光軸に近づく方向へ反射させることができる。たとえば、集光レンズ群９０の光軸上に配置される光反射鏡８４への光の入射角を約４５°とし、光反射鏡８１への光の入射角を４５°よりも小さくし、且つ、光反射鏡８７への光の入射角を４５°よりも大きくすればよい。これにより、集光レンズ群９０に入射する光束群の断面径を小さくして蛍光体素子１００Ｇへの集光効率を向上させることが可能となる。また、集光レンズ群９０の周辺部に入射される光束は、球面収差の影響を受けやすいため、集光レンズ群９０への入射光束群を集光レンズ群９０の光軸に近い領域に集めることにより、球面収差の影響を低減させつつ、蛍光体素子１００Ｇへの集光効率を高めることができる。
【００２０】
光反射鏡８１〜８７の光反射面の励起光源群からの高さは、投写光学系１２４の光軸ＯＡに近づくほど小さくなり、投写光学系１２４の光軸ＯＡから離れるほど大きくなる。また、光反射鏡８１〜８７は、階段状に配置されている。よって、図２に示されるように、光反射鏡８１〜８７で反射された複数の光束の間隔は、励起光源群から出射された複数の光束の間隔よりも狭い。
【００２１】
集光レンズ群９０は、両凸レンズ９１と両凹レンズ９２とからなり、光反射素子８０から入射された平行化光束を集光してその光束の断面径（Ｘ軸方向及びＹ軸方向の寸法）を縮小したうえで再び略平行な光束に変換する。集光レンズ群９０から出射された光束は、色分離フィルタ９４と集光レンズ群１０４とを透過した後、蛍光体素子１００Ｇに入射される。色分離フィルタ９４は、青色波長域及び赤色波長域の入射光を透過させ、緑色波長域の入射光を透過させずに反射する光学特性を有する。たとえば、誘電体多層膜を有するダイクロイックミラーで色分離フィルタ９４を構成することが可能である。集光レンズ群１０４は、２枚の凸レンズ１０５，１０６からなり、色分離フィルタ９４を透過した光束を蛍光体素子１００Ｇに集光する。ここで、集光レンズ群９０は、両凸レンズ９１と両凹レンズ９２からなるが、これら両凸レンズ９１及び両凹レンズ９２に代えて、片側のみ凸形状あるいは凹形状のレンズを用いても構わない。
【００２２】
蛍光体素子１００Ｇは、入射光束を励起光として吸収し、約５５０ｎｍを中心とする緑色波長域の蛍光光を出力する。上述の通り、図２に示した光反射鏡８１〜８７で反射された７つの光束の間隔は、励起光源群から出射された７つの光束の間隔よりも狭い。また、集光レンズ群９０は、光反射鏡８１〜８７で反射された光束の間隔をさらに狭くする。これにより、蛍光体素子１００Ｇに入射する光束の断面径が小さくなり、且つ、蛍光体素子１００Ｇにおける集光効率が向上する。たとえば、断面径約２ｍｍの大きさの光束を蛍光体素子１００Ｇに照射させることが可能である。ここで、蛍光体素子１００Ｇに集光する光束の強度分布を均一化するため、集光レンズ群９０と色分離フィルタ９４との間に拡散素子を配置してもよい。拡散素子を配置することにより、集光位置における光束の光密度の偏りが小さくなり温度上昇が抑制されるため、蛍光体素子１００Ｇの変換効率が向上する。
【００２３】
また、蛍光体素子１００Ｇは、本実施の形態では固定された状態で配置されているが、これに限定されるものではない。たとえば、回転板の周縁部に塗布された緑色蛍光体を蛍光体素子１００Ｇに代えて使用してもよい。これにより、冷却機構の簡素化を図ることが可能となる。
【００２４】
集光レンズ群１０４は、蛍光体素子１００Ｇから放射された蛍光光を略平行化して出射する。集光レンズ群１０４を透過した蛍光光は、色分離フィルタ９４で反射される。色分離フィルタ９４で反射された蛍光光は、集光光学系９５を透過し、色分離フィルタ１１１で反射された後に、集光光学系１１２により光強度均一化素子１１３の入射端面１１３ｉに集光される。色分離フィルタ１１１は、青色波長域の入射光を透過させ、緑色波長域及び赤色波長域の入射光を透過させずに反射する光学特性を有している。たとえば、誘電体多層膜で形成されたダイクロイックミラーで色分離フィルタ１１１を構成することが可能である。
【００２５】
なお、上記集光レンズ群９０は、入射光束を略平行化する機能を有するが、これに限定されるものではない。集光レンズ群９０と集光レンズ群１０４との組み合わせで蛍光体素子１００Ｇに青色レーザ光が集光されればよい。ただし、蛍光体素子１００Ｇから放射された光束（蛍光光）は、集光レンズ群１０４，９５，１１２の組み合わせで光強度均一化素子１１３の入射端面１１３ｉに集光される必要がある。このため、集光レンズ群１０４から色分離フィルタ９４に向けて出射される光束は、略平行化されていることが設計上好ましい。
【００２６】
光強度均一化素子１１３は、入射端面１１３ｉから内部に入射した光束の断面内（すなわち、光強度均一化素子１１３の光軸に直交する平面内）における光強度分布を均一化する光学素子である。これにより、ライトバルブ１２１に入射する光束の照度分布が均一化される。光強度均一化素子１１３の内部を伝播する光は、複数回、内面全反射して出射端面１１３ｏの近傍で重畳する。これにより、出射端面１１３ｏの近傍において略均一な光強度分布を得ることができる。よって、光強度均一化素子１１３の出射端面１１３ｏは、均一な輝度で発光する面光源となる。
【００２７】
たとえば、ガラス材料または透明樹脂材料などの透明な光学材料で構成された多角柱（ロッド）を光強度均一化素子１１３として使用することができる。この多角柱の側面は、当該光学材料と外部の空気との界面で光の内部全反射を起こす全反射面として使用される。あるいは、光反射ミラーの側面を有する断面多角形状の中空パイプ（ライトパイプ）を光強度均一化素子１１３として使用することもできる。この中空パイプの側面には、内側に光を反射する光反射膜が形成されている。図３は、光強度均一化素子１１３の一例を示す斜視図である。図３に示される光強度均一化素子１１３は、Ｚ軸方向を長手方向とし、Ｘ−Ｙ平面で矩形断面を有する四角柱である。その側面は、光反射ミラーまたは全反射面として構成されている。本実施の形態では、光強度均一化素子１１３の光出射端１１３ｏとライトバルブ１２１の光変調面とは、互いに光学的な共役関係にある。このため、光の利用効率の観点からは、ライトバルブ１２１の縦横比Ｌ：Ｈ（たとえば、Ｌ：Ｈ＝４：３）と、光強度均一化素子１１３の光出射端面１１３ｏの縦横比Ｌ０：Ｈ０とを互いに一致させることが好ましい。
【００２８】
リレーレンズ群１１５は、図１に示されるように、凹凸レンズ（メニスカスレンズ）１１６、凸レンズ１１７及び両凸レンズ１１８からなる。光強度均一化素子１１３の出射端面１１３ｏから出射された光束は、このリレーレンズ群１１５を透過し、折り曲げミラー１２０でライトバルブ１２１の方向へ反射させられる。折り曲げミラー１２０は、光束の光路を折り曲げる機能を有する。この折り曲げミラー１２０で反射された光束は、集光レンズ１２２を透過し、ライトバルブ１２１に入射する。なお、リレーレンズ群１１５は、３枚のレンズ１１６〜１１８で構成されているが、２枚のレンズで構成されてもよい。この場合、光強度均一化素子１１３と折り曲げミラー１２０との間隔を狭くすることが設計上好ましい。
【００２９】
以上に説明した種々の光学部材１０４，９４，９５，１１１，１１２，１１３，１１５，１２０，１２２によって、蛍光体素子１００Ｇから放射された蛍光光をライトバルブ１２１まで導く導光光学系が構成される。
【００３０】
一方、赤色光源１００Ｒは、赤色波長域（ピーク波長：約６２０ｎｍ）で発光する赤色ＬＥＤで構成されている。赤色光源１００Ｒから放射された赤色光は、２個の凸レンズ１０２，１０３からなるレンズ群１０１で略平行光に変換される。このレンズ群１０１から出射された赤色光束は、色分離フィルタ９４及び集光光学系９５を透過し、色分離フィルタ１１１で反射される。色分離フィルタ１１１で反射された赤色光束は、集光光学系１１２により光強度均一化素子１１３の入射端面１１３ｉに集光される。光強度均一化素子１１３は、入射端面１１３ｉから内部に入射した赤色光束の断面における光強度分布を均一化し、光強度分布が略均一な赤色光束を出射端面１１３ｏから出射する。出射端面１１３ｏから出射された赤色光束は、リレーレンズ群１１５，折り曲げミラー１２０及び集光レンズ１２２を経てライトバルブ１２１に入射する。
【００３１】
他方、青色光源１００Ｂは、青色波長域（ピーク波長：約４６０ｎｍ）で発光する青色ＬＥＤで構成されている。青色光源１００Ｂから放射された青色光は、２個の凸レンズ１０８，１０９からなるレンズ群１０７で略平行光に変換される。このレンズ群１０７から出射された青色光束は、色分離フィルタ１１１を透過した後、集光光学系１１２により光強度均一化素子１１３の入射端面１１３ｉに集光される。光強度均一化素子１１３は、入射端面１１３ｉから内部に入射した青色光束の断面における光強度分布を均一化し、光強度分布が略均一な青色光束を出射端面１１３ｏから出射する。出射端面１１３ｏから出射された青色光束は、リレーレンズ群１１５，折り曲げミラー１２０及び集光レンズ１２２を経てライトバルブ１２１に入射する。
【００３２】
制御部３は、ライトバルブ１２１の動作を制御する機能の他に、励起光源群、青色光源１００Ｂ及び赤色光源１００Ｒを発光させるタイミングを画像信号ＶＳに応じて個別に制御する機能を有している。制御部３は、励起光源群、青色光源１００Ｂ及び赤色光源１００Ｒのそれぞれの発光タイミングに合わせてライトバルブ１２１の動作を制御する。
【００３３】
なお、赤色光源１００Ｒ及び青色光源１００Ｂは、ＬＥＤ光源で構成されているが、これに限定されず、ＬＤ（レーザダイオード）で構成されていてもよい。この場合は、複数個のＬＤを面状（たとえば、マトリックス状）に配列して高輝度な赤色光源及び青色光源を実現することができる。
【００３４】
図４は、正面側（Ｘ軸負方向側）から視たときの投写型表示装置１の構成の一部を概略的に示す図である。図４においては、説明の便宜上、励起光源ユニット１００Ｅの構成要素と集光レンズ群９０とは破線で示されている。
【００３５】
折り曲げミラー１２０で反射された光束は、集光レンズ１２２を透過した後にライトバルブ１２１に入射する。ライトバルブ１２１は、上述の通り、変調制御信号ＭＣに応じて入射光束を空間的に変調することにより、光学像を表す変調光を出力する。投写光学系１２４は、ライトバルブ１２１の光変調面（光出射面）から入射された変調光で表される光学像を外部スクリーンの被投射面１５０に拡大投写する。
【００３６】
図４に示されるように、光反射鏡８１〜８７は階段状に配列されており、励起光源１１〜７１に対する光反射鏡８１〜８７の高さは、投写光学系１２４の光軸ＯＡに近づくほど小さくなり、光軸ＯＡから離れるほど大きくなる。このため、図１及び図４に示されるように、光反射素子８０の端部（光反射鏡８６，８７）の直上位置に、光反射素子８０と干渉しない光路を確保することができる。よって、光反射素子８０と接触させずに、光反射素子８０の端部（光反射鏡８６，８７）と横方向（Ｚ軸方向）において重複する位置にライトバルブ１２１と投写光学系１２４とを配置することが可能である。これにより、コンパクトな横幅を有する投写型表示装置１を提供することができる。
【００３７】
上記特許文献１，２に開示されている従来のプロジェクタは、いずれも、ＤＭＤから射出された画像光をスクリーンに投影する投影側光学系（投写光学系）を有している。近年、プロジェクタの設置の柔軟性が市場要求として高まっているが、投影側光学系は、筐体内の中央に配置されず、筐体内の端に配置されているため、外部スクリーンの中央に対して側方に偏った位置にプロジェクタを配置しなければならない。これに対し、本実施の形態の投写型表示装置１では、従来のプロジェクタと比べて、筐体２の中央に近い位置に投写光学系１２４を配置することができる。このため、従来のプロジェクタと比べると、外部スクリーンに対する投写型表示装置１の設置位置を柔軟に定めることができる。
【００３８】
また、ライトバルブ１２１が光反射素子８０の端部（光反射鏡８６，８７）と横方向において重複する位置に配置されるので、そうでない場合と比べて、光強度均一化素子１１３からライトバルブ１２１までの光路長を短くすることができる。これにより、設計自由度が高くなり、光利用効率が向上する。
【００３９】
さらに、本実施の形態では、図４に示されるように、投写光学系１２４の光軸ＯＡは、ライトバルブ１２１の光出射面（光変調面）の中心軸ＣＡに対して高さ方向（Ｙ軸正方向）に距離δだけシフトしている。これにより、ライトバルブ１２１から投写光学系１２４に向かう変調光の光路と光反射素子８０（光反射鏡８５，８６，８７）との間の距離が十分に確保され、また、投写光学系１２４と光反射素子８０（光反射鏡８５，８６，８７）との間の距離も十分に確保される。よって、折り曲げミラー１２０からライトバルブ１２１に至る光路が光反射素子８０と干渉することを確実に防止することができる。したがって、投写型表示装置１の小型化を効率良く実現することができる。
【００４０】
なお、光反射素子８０、集光レンズ１２２、ライトバルブ１２１及び投写光学系１２４並びにこれらによって作られる光路が相互に干渉しなければ、光反射素子８０、集光レンズ１２２、ライトバルブ１２１及び投写光学系１２４の配置は特に制限されるものではない。たとえば、光反射鏡８１〜８７の位置をさらにＺ軸正方向にシフトさせて投写型表示装置１のさらなる小型化を実現することもできる。
【００４１】
実施の形態２．
次に、本発明に係る実施の形態２について説明する。図５は、実施の形態２の投写型表示装置１Ｂの主要構成を概略的に示す図である。図５に示されるように、この投写型表示装置１Ｂは、外枠を構成する筐体２Ｂを有し、この筐体２Ｂの内部に、制御部３、励起光源ユニット１００Ｅ、集光レンズ群９０、蛍光体素子１００Ｇ、赤色光源１００Ｒ、青色光源１００Ｂ、レンズ群１０１，１０４，１０７、色分離フィルタ９４，１１１、集光光学系９５，１１２、光強度均一化素子１１３、リレーレンズ群１１５、折り曲げミラー１３１、凹面ミラー１３２、ライトバルブ１２１及び投写光学系１２４Ｂを備えている。
【００４２】
図５中のＸ軸方向，Ｙ軸方向及びＺ軸方向は、互いに直交する。ここで、Ｘ軸方向は、投写光学系１２４Ｂの光軸ＯＡと平行であり、Ｙ軸方向は、投写型表示装置１Ｂの高さ方向と平行であり、Ｚ軸方向は、投写型表示装置１Ｂの横幅方向と平行である。
【００４３】
本実施の形態の投写型表示装置１Ｂの構成は、リレーレンズ群１１５から出射された光束をライトバルブ１２１に導く導光部材として折り曲げミラー１３１及び凹面ミラー１３２を有する点で、上記実施の形態１の投写型表示装置１の構成と相違する。
【００４４】
また、本実施の形態のライトバルブ１２１は、実施の形態１のライトバルブ１２１（図１）とは異なる位置に配置されている。投写光学系１２４Ｂは、このライトバルブ１２１から出射された変調光を屈折させて投写光（画像光）を前面１２４Ｂｆから出射する。投写光学系１２４Ｂは、当該変調光で表される光学像を外部スクリーンの被投射面に拡大投写することができる。
【００４５】
図６は、本実施の形態の折り曲げミラー１３１及び凹面ミラー１３２の配置を概略的に示す図である。折り曲げミラー１３１は、光束の光路を折り曲げる機能を有する。この折り曲げミラー１３１で反射された光束は、凹面ミラー１３２の凹面１３２ｃで反射されてライトバルブ１２１の光変調面に入射する。ライトバルブ１２１は、変調制御信号ＭＣに応じて入射光束を空間的に変調することにより、光学像を表す変調光を出力する。
【００４６】
ライトバルブ１２１及び投写光学系１２４Ｂは、実施の形態１の場合と同様に、光反射素子８０の端部（光反射鏡８６，８７）と横方向において重複する位置に配置されている。また、本実施の形態では、ライトバルブ１２１は、光反射鏡８６，８７の直上位置に配置されているため、ライトバルブ１２１の位置は、投写光学系１２４Ｂの光軸方向において光反射鏡８６，８７の位置と重複する。
【００４７】
以上に説明したように実施の形態２では、光反射素子８０と接触させずに、光反射素子８０の端部（光反射鏡８６，８７）と横方向（Ｚ軸方向）において重複する位置にライトバルブ１２１と投写光学系１２４Ｂとを配置することが可能である。また、ライトバルブ１２１を光反射素子８０の端部の直上位置に配置することができる。したがって、コンパクトな横幅を有する投写型表示装置１Ｂを提供することができる。
【００４８】
なお、本実施の形態では、図５に示したように、ライトバルブ１２１が光反射鏡８６，８７の直上に配置され、投写光学系１２４Ｂが光反射鏡８６，８７よりもＸ軸負方向側にずれた位置に配置されている。このため、投写光学系１２４Ｂは、投写光をＸ軸負方向に出射する。このような構成に代えて、投写光がＸ軸正方向に出射されるように折り曲げミラー１３１，凹面ミラー１３２，ライトバルブ１２１及び投写光学系１２４Ｂの配置を変更してもよい。図７は、上記実施の形態２の変形例である投写型表示装置１Ｂａの主要構成を概略的に示す図である。この投写型表示装置１Ｂａは、投写光をＸ軸正方向に出射するように構成されている。
【００４９】
図７に示される投写型表示装置１Ｂａの構成は、折り曲げミラー１３１，凹面ミラー１３２，ライトバルブ１２１及び投写光学系１２４Ｂの配置と筐体２Ｂａの外形状とを除いて、上記実施の形態２の投写型表示装置１Ｂの構成と同じである。この投写型表示装置１Ｂａでは、ライトバルブ１２１は、光反射鏡８６，８７よりもＸ軸負方向側にずれた位置に配置され、投写光学系１２４Ｂは、光反射鏡８６，８７の直上に配置されている。また、折り曲げミラー１３１は、リレーレンズ群１１５から出射された光束を凹面ミラー１３２に向けて反射する。凹面ミラー１３２の凹面１３２ｃで反射された光束は、ライトバルブ１２１の光変調面に入射する。投写光学系１２４Ｂは、このライトバルブ１２１から出射された変調光を屈折させて投写光をＸ軸正方向に出射し、当該変調光で表される光学像を被投射面１５０に拡大投写することができる。このような構成により、Ｘ軸方向の寸法の小さいコンパクトな投写型表示装置１Ｂａを提供することができる。
【００５０】
実施の形態３．
次に、本発明に係る実施の形態３について説明する。図８は、実施の形態３の投写型表示装置１Ｃの主要構成を概略的に示す図である。本実施の形態の投写型表示装置１Ｃの構成は、励起光源ユニット１００ＥＣと集光レンズ群９０Ｃと筐体２Ｃとを除いて、上記実施の形態１の投写型表示装置１の構成と同じである。図９は、投写型表示装置１Ｃの正面側（Ｘ軸負方向側）から視たときの励起光源ユニット１００ＥＣ及び集光レンズ群９０Ｃの概略構成を示す図である。
【００５１】
励起光源ユニット１００ＥＣは、上記実施の形態１の励起光源群と同一の励起光源群と、上記実施の形態１の平行化レンズ群と同一の平行化レンズ群と、単一の光反射面を有する板状の光反射素子８８とを含む。この光反射素子８８の光反射面は、図９に示されるように、励起光源群の光出射端と対向し、約４５°の入射角で入射する光束を横方向（Ｚ軸負方向）に反射し、集光レンズ群９０Ｃに向けて出射する。よって、光反射素子８８は、光束の光路を約９０°折り曲げている。光反射素子８８の光反射面は、青色光を効率良く反射するために銀のコーティング層で形成されることが好ましい。
【００５２】
集光レンズ群９０Ｃは、両凸レンズ９１Ｃと両凹レンズ９２Ｃとからなり、光反射素子８８から入射された光束を集光してその光束の断面径（Ｘ軸方向及びＹ軸方向の寸法）を縮小したうえで再び略平行な光束に変換する。集光レンズ群９０Ｃから出射された光束は、色分離フィルタ９４と集光レンズ群１０４とを透過した後、蛍光体素子１００Ｇに入射される。ここで、集光レンズ群９０Ｃは、両凸レンズ９１Ｃと両凹レンズ９２Ｃからなるが、これら両凸レンズ９１Ｃ及び両凹レンズ９２Ｃに代えて、片側のみ凸形状あるいは凹形状のレンズを用いても構わない。
【００５３】
図１０は、正面側（Ｘ軸負方向側）から視たときの投写型表示装置１Ｃの構成の一部を概略的に示す図である。図１０においては、説明の便宜上、励起光源ユニット１００ＥＣの構成要素と集光レンズ群９０Ｃとは破線で示されている。
【００５４】
図１０に示されるように、光反射素子８８の光反射面の励起光源群からの高さは、投写光学系１２４の光軸ＯＡに近づくほど小さくなり、投写光学系１２４の光軸ＯＡから離れるほど大きくなる。このため、図８及び図１０に示されるように、光反射素子８８の右側端部の直上位置に、光反射素子８８と干渉しない光路を確保することができる。よって、光反射素子８８と接触させずに、光反射素子８８の端部と横方向（Ｚ軸方向）において重複する位置にライトバルブ１２１と投写光学系１２４とを配置することが可能である。これにより、コンパクトな横幅を有する投写型表示装置１Ｃを提供することができる。
【００５５】
また、実施の形態１と同様に、光強度均一化素子１１３からライトバルブ１２１までの光路長を短くすることができる。これにより、設計自由度が高くなり、光利用効率が向上する。
【００５６】
なお、本実施の形態の光反射素子８８は、実施の形態１の光反射素子８０のように励起光源群から出射された複数の光束の間隔を縮小する機能を持たないため、実施の形態１の集光レンズ群９０と比べると集光レンズ群９０Ｃが大口径化することとなる。そこで、集光レンズ群９０Ｃの口径を小さくするために、励起光源の個数を減らして、たとえば、３行３列程度で配列された励起光源群を使用してもよい。
【００５７】
実施の形態４．
次に、本発明に係る実施の形態４について説明する。図１１は、実施の形態４の投写型表示装置１Ｄの主要構成を概略的に示す図である。本実施の形態の投写型表示装置１Ｄの構成は、励起光源ユニット１００ＥＤと集光レンズ群９０Ｄと筐体２Ｄとを除いて、上記実施の形態１の投写型表示装置１の構成と同じである。
【００５８】
図１２は、投写型表示装置１Ｄの底面側（Ｙ軸負方向側）から視たときの励起光源ユニット１００ＥＤの概略構成を示す図であり、図１３は、投写型表示装置１Ｄの正面側（Ｘ軸負方向側）から視たときの励起光源ユニット１００ＥＤ及び集光レンズ群９０Ｄの概略構成を示す図である。
【００５９】
励起光源ユニット１００ＥＤは、上記実施の形態１の励起光源１１〜１３，２１〜２３，３１〜３３，４１〜４３，５１〜５３，６１〜６３，７１〜７３と同じ構成の励起光源と、上記実施の形態１の平行化レンズ１５〜１７，２５〜２７，３５〜３７，４５〜４７，５５〜５７，６５〜６７，７５〜７７と同じ構成の平行化レンズとを有している。ただし、これら励起光源１１〜７３及び平行化レンズ１５〜７７の光軸は、図１３に示されるように、集光レンズ群９０Ｄの光軸に対して９０°ではなく、傾斜するように設定されている。ここで、励起光源１１〜７３及び平行化レンズ１５〜７７の光軸と集光レンズ群９０Ｄの光軸とがなす角度は９０°より大きい。
【００６０】
また、励起光源ユニット１００ＥＤは、単一の光反射面を有する板状の光反射素子８９を含む。この光反射素子８９の光反射面は、励起光源群の光出射端と対向し、４５°を超える入射角θで入射する光束を横方向（Ｚ軸負方向）に反射し、集光レンズ群９０Ｄに向けて出射する。光反射素子８９の光反射面は、青色光を効率良く反射するために銀のコーティング層で形成されることが好ましい。
【００６１】
集光レンズ群９０Ｄは、両凸レンズ９１Ｄと両凹レンズ９２Ｄからなり、光反射素子８９から入射された光束を集光してその光束の断面径（Ｘ軸方向及びＹ軸方向の寸法）を縮小したうえで再び略平行な光束に変換する。集光レンズ群９０Ｄから出射された光束は、色分離フィルタ９４と集光レンズ群１０４とを透過した後、蛍光体素子１００Ｇに入射される。ここで、集光レンズ群９０Ｄは、両凸レンズ９１Ｄと両凹レンズ９２Ｄからなるが、これら両凸レンズ９１Ｄ及び両凹レンズ９２Ｄに代えて、片側のみ凸形状あるいは凹形状のレンズを用いても構わない。
【００６２】
図１４は、正面側（Ｘ軸負方向側）から視たときの投写型表示装置１Ｄの構成の一部を概略的に示す図である。図１４においては、説明の便宜上、励起光源ユニット１００ＥＤの構成要素と集光レンズ群９０Ｄとは破線で示されている。
【００６３】
図１４に示されるように、光反射素子８９の光反射面の励起光源群からの高さは、投写光学系１２４の光軸ＯＡに近づくほど小さくなり、投写光学系１２４の光軸ＯＡから離れるほど大きくなる。このため、図１１及び図１４に示されるように、光反射素子８９の右側端部の直上位置に、光反射素子８９と干渉しない光路を確保することができる。よって、光反射素子８９と接触させずに、光反射素子８９の端部と横方向（Ｚ軸方向）において重複する位置にライトバルブ１２１と投写光学系１２４とを配置することが可能である。これにより、コンパクトな横幅を有する投写型表示装置１Ｄを提供することができる。また、実施の形態１と同様に、光強度均一化素子１１３からライトバルブ１２１までの光路長を短くすることができる。これにより、設計自由度が高くなり、光利用効率が向上する。
【００６４】
本実施の形態では、励起光源１１〜７３の光軸が斜めに設定されているので、集光レンズ群９０Ｄの大口径化を抑制することができる。よって、高さ方向（Ｙ軸正方向）の大型化を招くことなく横方向（Ｚ軸方向）に小型化された投写型表示装置１Ｄを提供することができる。
【００６５】
さらに、本実施の形態の光反射素子８９は、単一の光反射面を有するため、実施の形態１の場合と比べると、励起光源群及び平行化レンズ群の設置公差（設置位置の誤差の許容範囲）を若干大きくすることができるという利点がある。上記実施の形態１の光反射素子８０は、図２に示したように互いに分離した複数の光反射鏡８１〜８７からなるので、高い光利用効率を確保するためには、これら複数の光反射鏡８１〜８７の光反射面に対応する位置に正確に励起光源群及び平行化レンズ群を配置しなければならない。それ故、実施の形態１では、励起光源群及び平行化レンズ群の設置公差を小さくすることが望ましい。これに対し、本実施の形態の光反射素子８９の光反射面は１枚で構成されているので、励起光源群及び平行化レンズ群の設置公差を比較的大きくすることができる。
【００６６】
なお、本実施の形態では、リレーレンズ群１１５から出射された光束をライトバルブ１２１に導く導光部材として折り曲げミラー１２０と集光レンズ１２２が使用されているが、これらに代えて、上記実施の形態２の折り曲げミラー１３１と凹面ミラー１３２とを用いてもよい。
【００６７】
実施の形態５．
次に、本発明に係る実施の形態５について説明する。図１５は、実施の形態５の投写型表示装置１Ｅの主要構成を概略的に示す図である。図１５に示されるように、この投写型表示装置１Ｅは、外枠を構成する筐体２Ｅを有し、この筐体２Ｅの内部に、制御部３、励起光源ユニット１００ＥＤ、集光レンズ群９０Ｄ、蛍光体素子１００Ｇ、赤色光源１００Ｒ、青色光源１００Ｂ、レンズ群１０１，１０４，１０７、色分離フィルタ９４，１１１、集光光学系９５，１１２、光強度均一化素子１１３、リレーレンズ群１１５、内部全反射プリズム１４０、ライトバルブ１２１及び投写光学系１２４Ｅを備えている。
【００６８】
図１５中のＸ軸方向，Ｙ軸方向及びＺ軸方向は、互いに直交する。ここで、Ｘ軸方向は、レンズ群１０１の光軸と平行であり、Ｙ軸方向は、投写型表示装置１Ｅの高さ方向と平行であり、Ｚ軸方向は、レンズ群１０４の光軸と平行である。
【００６９】
本実施の形態の投写型表示装置１Ｅは、上記実施の形態４の励起光源ユニット１００ＥＤ及び集光レンズ群９０Ｄと同じ励起光源ユニット及び集光レンズ群を備えている。また、この投写型表示装置１Ｅの構成は、リレーレンズ群１１５から出射された光束をライトバルブ１２１に導く導光部材として内部全反射プリズム１４０を有する点で、実施の形態４の投写型表示装置１Ｄの構成とは相違する。さらに、本実施の形態のライトバルブ１２１は、実施の形態４のライトバルブ１２１（図１１）とは異なる位置に配置されている。
【００７０】
内部全反射プリズム１４０は、２個の三角プリズム１４１，１４２を空気層を介して互いに接合して構成されたものである。図１５に示されるように、リレーレンズ群１１５から三角プリズム１４１の内部に入射した光束は、三角プリズム１４１で内面全反射し、ライトバルブ１２１に向けて出射される。また、ライトバルブ１２１から三角プリズム１４１の内部に入射した変調光は、三角プリズム１４１，１４２を透過した後に投写光学系１２４Ｅに入射する。投写光学系１２４Ｅは、このライトバルブ１２１から出射された変調光を屈折させて投写光（画像光）を前面１２４Ｅｆから出射する。投写光学系１２４Ｅは、当該変調光で表される光学像を外部スクリーンの被投射面に拡大投写することができる。
【００７１】
図１６は、正面側（Ｘ軸負方向側）から視たときの投写型表示装置１Ｅの構成の一部を概略的に示す図である。図１６においては、説明の便宜上、励起光源ユニット１００ＥＤの構成要素と集光レンズ群９０Ｄとは破線で示されている。
【００７２】
ライトバルブ１２１及び投写光学系１２４Ｅは、実施の形態４の場合と同様に、光反射素子８９の端部と横方向（Ｚ軸方向）において重複する位置に配置されている。また、本実施の形態では、ライトバルブ１２１は、光反射素子８９の端部の直上位置に配置されているため、ライトバルブ１２１の位置は、投写光学系１２４Ｅの光軸方向において光反射素子８９の端部の位置と重複する。したがって、コンパクトな横幅を有する投写型表示装置１Ｅを提供することができる。
【００７３】
また、ライトバルブ１２１の中心軸ＣＡの高さは、リレーレンズ群１１５及び内部全反射プリズム１４０の各光軸の高さと同じである。このため、高さ方向（Ｙ軸正方向）の寸法の小さい投写型表示装置１Ｅを提供することができる。
【００７４】
上記実施の形態１〜４は、ライトバルブ１２１の中心軸ＣＡに対して投写光学系１２４，１２４Ｂの光軸ＯＡを高さ方向に所定量δだけシフトさせている。一方、本実施の形態の内部全反射プリズム１４０を用いた構成の場合でも、図１６に示されるように、ライトバルブ１２１の中心軸に対して投写光学系１２４Ｅの光軸ＯＡはδだけシフトしているが、投写光学系１２４Ｅに入射する主光線が当該光軸ＯＡと略平行であり、シフト量δが零であっても、光反射素子８９が光路と干渉することを回避することができる。
【００７５】
実施の形態１〜５の変形例．
以上、図面を参照して本発明に係る種々の実施の形態について述べたが、これらは本発明の例示であり、上記以外の様々な形態を採用することもできる。たとえば、上記実施の形態１〜５では、励起光源群としてＬＤが使用され、赤色光源１００Ｒ及び青色光源１００ＢとしてＬＥＤまたはＬＤが使用されているが、これらに限定されるものではない。これらＬＤ及びＬＥＤ以外の半導体発光素子を使用してもよい。
【００７６】
上記した励起光源群は、蛍光体素子１００Ｇの蛍光体材料に合わせて青色波長域で発光するものであるが、これに限定されるものではない。蛍光体素子１００Ｇの蛍光体材料を他の蛍光体材料に変更し、この変更に合わせて励起光源群の発光波長域を適宜選択してもよい。また、上記蛍光体素子１００Ｇ及び赤色光源１００Ｒに代えて、回転板の周縁部の分割された領域に塗布した緑色蛍光体及び赤色蛍光体を使用してもよい。これにより、装置構成の簡素化を実現することができる。
【００７７】
また、上記実施の形態１〜５の投写型表示装置１，１Ｂ，１Ｃ，１Ｄ，１Ｅは、いずれも、３行７列で配列された励起光源１１〜１３，２１〜２３，３１〜３３，４１〜４３，５１〜５３，６１〜６３，７１〜７３を有するが、この配列に限定されるものではない。励起光源の配列は、３行７列に限らず、たとえば、４行９列であってもよい。
【００７８】
また、赤色光源１００Ｒ，青色光源１００Ｂ及び蛍光体素子１００Ｇの配置は、上記実施の形態１〜５における配置に限定されるものではない。たとえば、赤色光源１００Ｒ，青色光源１００Ｂ及び蛍光体素子１００Ｇの配置位置を入れ替えて投写型表示装置１，１Ｂ〜１Ｄを構成してもよい。
【００７９】
また、上記実施の形態１〜５の投写型表示装置１，１Ｂ，１Ｃ，１Ｄ，１Ｅは、いずれも、反射型のライトバルブ１２１を有しているが、これに限定されるものではない。反射型のライトバルブ１２１に代えて透過型のライトバルブを採用し、これに合わせて上記実施の形態１〜５の投写型表示装置１，１Ｂ，１Ｃ，１Ｄ，１Ｅの構成を適宜変更してもよい。
【符号の説明】
【００８０】
１，１Ｂ，１Ｂａ，１Ｃ，１Ｄ，１Ｅ  投写型表示装置、  ２，２Ｂ，２Ｂａ，２Ｃ，２Ｄ，２Ｅ  筐体、  ３  制御部、  １１〜１３，２１〜２３，３１〜３３，４１〜４３，５１〜５３，６１〜６３，７１〜７３  励起光源、  １５〜１７，２５〜２７，３５〜３７，４５〜４７，５５〜５７，６５〜６７，７５〜７７  平行化レンズ、  ８０，８８，８９  光反射素子、  ８１〜８７  光反射鏡、  ９０，９０Ｃ，９０Ｄ  集光レンズ群、  ９４，１１１  色分離フィルタ、  ９５，１１２  集光光学系、  １００Ｒ  赤色光源、  １００Ｂ  青色光源、  １００Ｇ  蛍光体素子、  １００Ｅ，１００ＥＣ，１００ＥＤ  励起光源ユニット、  １１３  光強度均一化素子、  １１５  リレーレンズ群、  １２０，１３１  折り曲げミラー、  １２１  ライトバルブ、  １２４，１２４Ｂ，１２４Ｅ  投写光学系、  １３２  凹面ミラー、  １４０  内部全反射プリズム、  １５０  被投射面。
【図１】
2014062985.tif 000003
【図２】
2014062985.tif 000004
【図３】
2014062985.tif 000005
【図４】
2014062985.tif 000006
【図５】
2014062985.tif 000007
【図６】
2014062985.tif 000008
【図７】
2014062985.tif 000009
【図８】
2014062985.tif 000010
【図９】
2014062985.tif 000011
【図１０】
2014062985.tif 000012
【図１１】
2014062985.tif 000013
【図１２】
2014062985.tif 000014
【図１３】
2014062985.tif 000015
【図１４】
2014062985.tif 000016
【図１５】
2014062985.tif 000017
【図１６】
2014062985.tif 000018